(57)【特許請求の範囲】
【請求項１】
移動体通信ネットワークの少なくとも１人のユーザに情報コンテンツを配信する方法であって、前記少なくとも１人のユーザが夫々のユーザ装置を保有しており、前記通信ネットワークがｐ−ｔ−ｍ送信モード又はｐ−ｔ−ｐ送信モードで動作することが可能であり、前記ネットワークが前記ｐ−ｔ−ｍ送信モードで動作するとき、前記方法が、
・前記通信ネットワークにより、第１の制御情報を少なくとも１個の制御チャネルで前記ユーザ装置に送信する段階であって、前記少なくとも１個の制御チャネルは、前記情報コンテンツの送信用の少なくとも１個の下りチャネルに関連し、前記第１の制御情報は、前記情報コンテンツの部分の符号化の方式を表す情報を含む、段階と、
・前記通信ネットワークにより、第２の制御情報を前記少なくとも１個の制御チャネルで前記ユーザ装置に送信する段階であって、前記第２の制御情報は、情報コンテンツの前記部分の長さを表す情報を含む、段階と、
・前記通信ネットワークにより、前記少なくとも１個の下りチャネルで情報コンテンツの前記部分を送信する段階であって、情報コンテンツの前記長さを有する前記部分は、該部分にわたって同じ方式で符号化された、段階と、
・少なくとも１個の前記ユーザ装置により、情報コンテンツの前記部分の前記長さの間、前記少なくとも１個の制御チャネルのモニターを停止する段階と
を含む、方法。
【請求項２】
前記少なくとも１人のユーザが夫々のユーザ装置を各々保有する複数のユーザを含み、前記下りチャネルが複数のユーザ装置で共用されるように構成されている請求項１に記載の方法。
【請求項３】
前記少なくとも１個の制御チャネルが複数のユーザ装置で共用されるように構成されている請求項２に記載の方法。
【請求項４】
前記少なくとも１個の下りチャネル上の情報コンテンツの送信が規定時間間隔に従ってスケジューリングされる請求項１から３のいずれか一項に記載の方法。
【請求項５】
前記少なくとも１個の制御チャネル上の制御情報の送信が前記規定時間間隔に従ってスケジューリングされる請求項４に記載の方法。
【請求項６】
前記第１の制御情報の送信が第１の時間間隔中に行われ、前記第１の制御情報は前記少なくとも１個の下りチャネル上の情報コンテンツの前記部分の送信が第２の時間間隔で開始することを少なくとも１個の前記ユーザ装置に通知するように構成されており、第２の時間間隔は第１の時間間隔の開始後に開始する請求項５に記載の方法。
【請求項７】
前記第１及び第２の時間間隔が部分的に相互にオーバーラップしている請求項６に記載の方法。
【請求項８】
少なくとも１個の前記ユーザ装置が前記下りチャネル上の情報コンテンツの前記部分の送信中に前記制御チャネルのモニターを停止し、情報コンテンツの前記部分の前記長さに基づいて情報コンテンツの前記部分の前記送信の終わりに前記制御チャネルのモニターを再開するように構成されている請求項５から７のいずれか一項に記載の方法。
【請求項９】
情報コンテンツの前記部分の前記長さが前記規定時間間隔の倍数である請求項４から８のいずれか一項に記載の方法。
【請求項１０】
前記通信ネットワークにより、コンテンツ識別子を前記情報コンテンツに関連付ける段階を更に含む請求項１から９のいずれか一項に記載の方法。
【請求項１１】
前記第１の制御情報が更に前記コンテンツ識別子を含む請求項１０に記載の方法。
【請求項１２】
前記通信ネットワークにより、コンテンツ識別子を前記情報コンテンツに関連付ける段階を更に含み、前記コンテンツ識別子が前記複数のユーザ装置に送信される請求項３に記載の方法。
【請求項１３】
前記コンテンツ識別子が定義済みコンテンツ識別子のリストに帰属する請求項１１又は１２に記載の方法。
【請求項１４】
前記通信ネットワークにより、前記第２の制御情報への情報コンテンツの前記部分の前記長さの挿入を前記リストへの前記コンテンツ識別子の帰属に適応させる段階を更に含む請求項１３に記載の方法。
【請求項１５】
定義済みフィールドの少なくとも第１の部分を利用することにより情報コンテンツの前記部分の前記長さを前記第２の制御情報に挿入し、前記定義済みフィールドが情報コンテンツの部分の再送に関係する情報を保存するように構成されている請求項１から１４のいずれか一項に記載の方法。
【請求項１６】
前記第２の制御情報が更に再送起動情報を含み、前記再送起動情報が前記定義済みフィールドの第２の部分に保存され、前記通信ネットワークにより、前記第２の制御情報への情報コンテンツの前記部分の前記長さの挿入を前記再送起動情報の第１の値に適応させる段階を更に含む請求項１５に記載の方法。
【請求項１７】
前記通信ネットワークにより、前記下りチャネルの受信品質に関係する少なくとも１個のフィードバックを少なくとも１個の前記ユーザ装置から受信する段階を更に含む請求項１から１６のいずれか一項に記載の方法。
【請求項１８】
前記通信ネットワークにより、前記下りチャネルの受信品質に関係する少なくとも１個のフィードバックを少なくとも１個の前記ユーザ装置から受信する段階を更に含み、
・前記通信ネットワークにより、前記少なくとも１個のフィードバックに基づいて前記再送起動情報を第２の値に設定する段階と、
・前記通信ネットワークにより、前記第２の制御情報における情報コンテンツの前記部分の前記長さを情報コンテンツの前記部分の再送に関係する情報に置換する段階と、
・前記通信ネットワークにより、情報コンテンツの前記部分を前記少なくとも１個の下りチャネルで少なくとも１回再送する段階と
を更に含む請求項１６に記載の方法。
【請求項１９】
前記再送起動情報の前記第２の値に適応するように、
・前記通信ネットワークにより、情報コンテンツの前記部分の前記長さに従って前記下りチャネル上の情報コンテンツの別の部分の送信に関係する制御情報の前記少なくとも１個の制御チャネル上の送信をスケジューリングする段階と、
・前記通信ネットワークにより、情報コンテンツの前記別の部分の長さを情報コンテンツの前記部分の前記長さと等しくなるように設定する段階と、
・前記通信ネットワークにより、情報コンテンツの前記別の部分を前記下りチャネルで送信する段階と
を更に含む請求項１８に記載の方法。
【請求項２０】
移動体通信ネットワークのユーザのユーザ装置で情報コンテンツを受信する方法であって、前記移動体通信ネットワークがｐ−ｔ−ｍ送信モード又はｐ−ｔ−ｐ送信モードで動作することが可能であり、前記ネットワークが前記ｐ−ｔ−ｍ送信モードで動作するとき、前記方法が、
・前記情報コンテンツの送信用として提供された下りチャネルに関連した少なくとも１個の制御チャネルのモニターを開始する段階と、
・モニターした前記少なくとも１個の制御チャネルで、第１の制御情報を受信し復号化する段階であって、前記第１の制御情報は、前記情報コンテンツの部分の符号化の方式を表す情報を含む、段階と、
・モニターした前記少なくとも１個の制御チャネルで、第２の制御情報を受信し復号化する段階であって、前記第２の制御情報は、情報コンテンツの前記部分の長さを表す情報を含む、段階と、
・情報コンテンツの前記部分の前記長さにわたって前記第１の制御情報に基づいて前記下りチャネルにアクセスすることにより、情報コンテンツの前記部分を前記少なくとも１個の下りチャネルで復号化する段階であって、情報コンテンツの前記長さを有する前記部分は、該部分にわたって同じ方式で符号化された、段階と、
・情報コンテンツの前記部分の前記長さの間、前記少なくとも１個の制御チャネルのモニターを停止する段階と
を含む、方法。
【請求項２１】
前記下りチャネルが複数のユーザ装置で共用されるように構成されている請求項２０に記載の方法。
【請求項２２】
前記少なくとも１個の制御チャネルが複数のユーザ装置で共用されるように構成されている請求項２１に記載の方法。
【請求項２３】
前記下りチャネル上の情報コンテンツの送信が規定時間間隔に従ってスケジューリングされる請求項２０から２２のいずれか一項に記載の方法。
【請求項２４】
前記少なくとも１個の制御チャネル上の制御情報の送信が前記規定時間間隔に従ってスケジューリングされる請求項２３に記載の方法。
【請求項２５】
前記第１の制御情報の送信が第１の時間間隔中に行われ、前記第１の制御情報は前記下りチャネル上の情報コンテンツの前記部分の送信が第２の時間間隔で開始することを前記ユーザ装置に通知するように構成されており、第２の時間間隔は第１の時間間隔の開始後に開始する請求項２４に記載の方法。
【請求項２６】
前記第１及び第２の時間間隔が部分的に相互にオーバーラップしている請求項２５に記載の方法。
【請求項２７】
前記下りチャネル上の情報コンテンツの前記部分の送信中に前記制御チャネルのモニターを停止する段階と、情報コンテンツの前記部分の前記長さに基づいて情報コンテンツの前記部分の前記送信の終わりに前記制御チャネルのモニターを再開する段階とを更に含む請求項２４から２６のいずれか一項に記載の方法。
【請求項２８】
情報コンテンツの前記部分の前記長さが前記規定時間間隔の倍数である請求項２３から２７のいずれか一項に記載の方法。
【請求項２９】
コンテンツ識別子が前記情報コンテンツに関連した請求項２０から２８のいずれか一項に記載の方法。
【請求項３０】
前記第１の制御情報が更に前記コンテンツ識別子を含む請求項２９に記載の方法。
【請求項３１】
前記コンテンツ識別子が定義済みコンテンツ識別子のリストに帰属する請求項２９又は３０に記載の方法。
【請求項３２】
情報コンテンツの前記部分の前記長さにわたる前記下りチャネルのアクセスを前記リストへの前記コンテンツ識別子の帰属に適応させる段階を更に含む請求項３１に記載の方法。
【請求項３３】
定義済みフィールドの少なくとも第１の部分を利用することにより情報コンテンツの前記部分の前記長さを前記第２の制御情報に挿入し、前記定義済みフィールドが情報コンテンツの部分の再送に関係する情報を保存するように構成されている請求項２０から３２のいずれか一項に記載の方法。
【請求項３４】
前記第２の制御情報が更に再送起動情報を含み、前記再送起動情報が前記定義済みフィールドの第２の部分に保存され、情報コンテンツの前記部分の前記長さにわたる前記下りチャネルのアクセスを前記再送起動情報の第１の値に適応させる段階を更に含む請求項３３に記載の方法。
【請求項３５】
前記下りチャネルの受信品質に関係する少なくとも１個のフィードバックを送信する段階を更に含む請求項２０から３４のいずれか一項に記載の方法。
【請求項３６】
前記再送起動情報の第２の値に適応するように、
・情報コンテンツの前記部分の前記長さに従ってスケジューリングされる前記下りチャネル上の情報コンテンツの別の部分の送信に関係する制御情報を前記少なくとも１個の制御チャネルで受信する段階と、
・情報コンテンツの前記部分の前記長さにわたって情報コンテンツの前記別の部分を前記下りチャネルで受信する段階と
を更に含む請求項３４に記載の方法。
【請求項３７】
請求項１から１９のいずれか一項に記載の方法を実施するように構築されたアクセスネットワークサブシステム及びユーザ装置を含む移動体通信ネットワーク。
【請求項３８】
請求項２０から３６のいずれか一項に記載の方法を実施するように構築された移動体通信ネットワーク用ユーザ装置であって、前記移動体通信ネットワークがｐ−ｔ−ｍ送信モード又はｐ−ｔ−ｐ送信モードで動作することが可能である、ユーザ装置。
【発明の詳細な説明】
【技術分野】
【０００１】
本発明は一般には移動体無線通信分野、特に携帯電話ネットワークユーザへの情報コンテンツ、特にマルチメディアコンテンツの送信に関する。本発明はチャネル変更後に受信者により知覚される無線品質に応じた送信の動的適応により管理されるパケットチャネルに基づくパケット交換無線インタフェースを使用して移動体ネットワークで適用することができ、このメカニズムは通常、リンクアダプテーション（Ｌｉｎｋ  Ａｄａｐｔａｔｉｏｎ：ＬＡ）又はＡＭＣ（Ａｄａｐｔｉｖｅ  ｍｏｄｕｌａｔｉｏｎ  ａｎｄ  ｃｏｄｉｎｇ：適応変調符号化）及びハイブリッド自動再送要求（Ｈｙｂｒｉｄ  Ａｕｔｏｍａｔｉｃ  Ｒｅｔｒａｎｓｍｉｓｓｉｏｎ  ｒｅＱｕｅｓｔ：Ｈ−ＡＲＱ）と呼ばれる。更に、本発明は異なるユーザに共用され、ＡＭＣ、Ｈ−ＡＲＱ及びパケットスケジューリングアルゴリズムにより制御されるパケットチャネルでパケット送信を提供する任意無線アクセスインタフェース、例えばＣＤＭＡ、ＯＦＤＭ、ＴＤＭＡ方式ネットワーク、例えば第３又は第４世代（略称「３Ｇ」、「４Ｇ」）携帯電話ネットワークに適用することができる。特に、本発明は３Ｇ−４Ｇネットワークにおけるマルチメディアコンテンツ同報・放送に関する。
【背景技術】
【０００２】
携帯電話ネットワーク（公衆陸上移動網：Ｐｕｂｌｉｃ  Ｌａｎｄ  Ｍｏｂｉｌｅ  Ｎｅｔｗｏｒｋｓ，略称ＰＬＭＮ）は当初は移動体ユーザ間で有線ネットワーク（公衆交換電話網：Ｐｕｂｌｉｃ  Ｓｗｉｔｃｈｅｄ  Ｔｅｌｅｐｈｏｎｅ  Ｎｅｔｗｏｒｋｓ，ＰＳＴＮ）と同様に通話を可能にするために考案された。携帯電話ネットワークは特に第２世代携帯電話ネットワーク、特にグローバル移動体通信システム（Ｇｌｏｂａｌ  Ｓｙｓｔｅｍ  ｆｏｒ  Ｍｏｂｉｌｅ  ｃｏｍｍｕｎｉｃａｔｉｏｎｓ：ＧＳＭ）規格（並びにその米国及び日本対応システム）に準拠したネットワーク等のデジタル携帯電話ネットワークの導入後に目覚ましい普及を遂げている。単純通話に加えてこれらの携帯電話ネットワークにより提供されるサービスは量と質の両面で急速に増大しており、ほんの数例を挙げると、ショートメッセージサービス（Ｓｈｏｒｔ  Ｍｅｓｓａｇｅ  Ｓｅｒｖｉｃｅ：ＳＭＳ）及びマルチメディアメッセージサービス（Ｍｕｌｔｉｍｅｄｉａ  Ｍｅｓｓａｇｅ  Ｓｅｒｖｉｃｅ：ＭＭＳ）のサービスや、インターネット接続サービスが過去数年で利用可能になっている。
【０００３】
更に最近では、ユニバーサル移動体通信システム（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ：ＵＭＴＳ）に準拠したシステム等の３Ｇ移動体通信システムが展開されており、情報交換速度が著しく上がり、ネットワークオペレータは移動体ユーザに新規サービスを提供できるようになっている。更に、無線インタフェースで利用可能なスループット（下りで１４．４Ｍｂｐｓ、上りで５Ｍｂｐｓまで）と待ち時間短縮の点で新規サービスを進化させるために、ＨＳＤＰＡ（Ｈｉｇｈ  Ｓｐｅｅｄ  Ｄｏｗｎｌｉｎｋ  Ｐａｃｋｅｔ  Ａｃｃｅｓｓ：高速下りパケットアクセス）やＨＳＵＰＡ（Ｈｉｇｈ  Ｓｐｅｅｄ  Ｕｐｌｉｎｋ  Ｐａｃｋｅｔ  Ａｃｃｅｓｓ：高速上りパケットアクセス）等の新規技術が既存３Ｇ規格に導入されている。新規「全ＩＰ方式」コアネットワークアーキテクチャに接続された１００Ｍｂｐｓまでのビットレートに対応することができ、待ち時間を更に短縮し、ＩＰ方式プロトコルにより管理される機動性を備える完全に新規な無線アーキテクチャを導入する所謂「ＬＴＥ」（Ｌｏｎｇ  Ｔｅｒｍ  Ｅｖｏｌｕｔｉｏｎ：長期進化型）アーキテクチャが４Ｇへの進化であると予測されている。
【０００４】
ＰＬＭＮは回路転換式（Ｃｉｒｃｕｉｔ−Ｓｗｉｔｃｈｅｄ：ＣＳ）ネットワークとして生まれたため、比較的大量のデータの交換よりも通話に適している。データ通信はコンピュータネットワーク、特にインターネットのようにパケット交換（Ｐａｃｋｅｔ−Ｓｗｉｔｃｈｅｄ：ＰＳ）スキームを採用したほうが良好に達成される。通信速度性能が高い点を除き、３Ｇ移動体通信システムでも同じことが言える。ＵＭＴＳのＰＳドメインは第２世代汎用パケット無線サービス（Ｇｅｎｅｒａｌ  Ｐａｃｋｅｔ  Ｒａｄｉｏ  Ｓｅｒｖｉｃｅ：ＧＰＲＳ）コアネットワークを進化させたコアネットワークと、ＵＴＲＡＮ（ＵＭＴＳ  Ｔｅｒｒｅｓｔｒｉａｌ  Ｒａｄｉｏ  Ａｃｃｅｓｓ  Ｎｅｔｗｏｒｋ：ＵＭＴＳ地上無線アクセスネットワーク）と呼ばれる無線アクセスネットワークにより構成される。１９９９年版規格（所謂「Ｒ９９」）に準拠するＵＴＲＡＮは無線リンクで専用チャネルによりパーソン・ツー・パーソン又はコンテンツ／ネットワーク・ツー・パーソン通信に対応するように３８４ＫｂｐｓまでのＰＳ送信に対応することが可能である。
【０００５】
通常、ＰＬＭＮでは、ＵＴＲＡＮインフラが整備されていたとしても、ユーザ装置（ＵＥ）とパケット交換ネットワークに接続されたサービスプロバイダー（例えばコアネットワーク又はインターネットに接続されたサーバー）の間でセッションが起動すると、情報コンテンツはポイント・ツー・ポイント（Ｐ−Ｔ−Ｐ）ないしユニキャストモードで送信され、このようなセッションの起動はサーバーとＵＥ間の論理的及び物理的接続の設定を必要とする。このようなＰ−Ｔ−Ｐ通信モードでは、２人以上のユーザが同一情報コンテンツを同時に利用するとしても、ネットワークとＵＥの間のデータ交換に割り当てる無線リソースはサービスを同時に利用する異なる移動局数に依存する。このため、無線リソースを大型にしない限り、利用可能なサービスに数人のユーザが同時にアクセスできる可能性は制限される。
【０００６】
従って、割り当てられる無線リソースの量を節約するために、別のポイント・ツー・マルチポイント（Ｐ−Ｔ−Ｍ）ないし同報・放送モードに基づいて２人以上のユーザが同時に利用可能な同一サービスに関係する情報コンテンツを配信できることが望ましい。
【０００７】
この点で、３ＧＰＰ（３ｒｄ  Ｇｅｎｅｒａｔｉｏｎ  Ｐａｒｔｎｅｒｓｈｉｐ  Ｐｒｏｊｅｃｔ：第３世代パートナーシッププロジェクト）規格化グループはＧＥＲＡＮ（ＧＳＭ／ＥＤＧＥ  Ｒａｄｉｏ  Ａｃｃｅｓｓ  Ｎｅｔｗｏｒｋ：無線アクセスネットワーク；なお、ＥＤＧＥはＥｎｈａｎｃｅｄ  Ｄａｔａ  ｆｏｒ  ＧＳＭ  Ｅｖｏｌｕｔｉｏｎ（ＧＳＭ進化型高速データ伝送）の略語である）とＵＴＲＡＮ（ＵＭＴＳ  Ｔｅｒｒｅｓｔｒｉａｌ  Ｒａｄｉｏ  Ａｃｃｅｓｓ  Ｎｅｔｗｏｒｋ：ＵＭＴＳ地上無線アクセスネットワーク）の両者の枠組みでＭＢＭＳ（Ｍｕｌｔｉｍｅｄｉａ  Ｂｒｏａｄｃａｓｔ／Ｍｕｌｔｉｃａｓｔ  Ｓｅｒｖｉｃｅ：マルチメディア放送・同報サービス）と呼ばれる新種のサービスアーキテクチャを具体化することを検討している。基本的に、ＭＢＭＳは単一サービング基地局から共通無線リソースを介して２人以上の移動体ユーザに情報コンテンツ（特にマルチメディアコンテンツ）を同時に配信することを目的としており、例えばスポーツ試合のショートクリップを移動体ユーザのＵＥに配信する場合や、移動体ネットワークを介するテレビチャネル送信の場合が挙げられる。換言するならば、ＰＬＭＮオペレータは特定ユーザグループに同一情報コンテンツを同時に効率的に送るために、ネットワークに適正なメカニズムの必要性に直面する。
【０００８】
現在高速データレート送信用として考えられている１つの技術はＨＳＤＰＡ（Ｈｉｇｈ−Ｓｐｅｅｄ  Ｄｏｗｎｌｉｎｋ  Ｐａｃｋｅｔ  Ａｃｃｅｓｓ：高速下りパケットアクセス）であり、「３．５Ｇ」システムとみなされ、１０〜１４Ｍｂ／ｓまでのピークデータレートが得られ、数年のうちに具体化されると予想されている。ＨＳＤＰＡは特に技術レポートＴＲ  ２５．３０８（例えばＴＲ  ２５．３０８  Ｖ．６．３．０）及びＴＲ  ２５．９５０（例えばＴＲ  ２５．９５０  Ｖ．４．０．１）に記載されている。一般に、ＨＳＤＰＡ（Ｈｉｇｈ−Ｓｐｅｅｄ  Ｄｏｗｎｌｉｎｋ  Ｐａｃｋｅｔ  Ａｃｃｅｓｓ：高速下りパケットアクセス）とは高速下り共用チャネル（Ｈｉｇｈ−Ｓｐｅｅｄ  Ｄｏｗｎｌｉｎｋ  Ｓｈａｒｅｄ  ＣＨａｎｎｅｌ：ＨＳ−ＤＳＣＨ）、即ち複数のユーザ間で共用され、高速下りパケットデータ送信に対応する下りデータチャネルと、その関連した制御チャネルをＵＭＴＳ通信システムで操作するためのデータ送信技術を意味する。ＨＳＤＰＡの実施は待ち時間短縮と高スループットにつながる多数のメカニズム（例えば、ＡＭＣ（Ａｄａｐｔｉｖｅ  Ｍｏｄｕｌａｔｉｏｎ  ａｎｄ  Ｃｏｄｉｎｇ：適応変調符号化）、ＨＡＲＱ（Ｈｙｂｒｉｄ  Ａｕｔｏｍａｔｉｃ  Ｒｅｔｒａｎｓｍｉｓｓｉｏｎ  ｒｅＱｕｅｓｔ：ハイブリッド自動再送要求）、高速パケットスケジューリング（Ｆａｓｔ  Ｐａｃｋｅｔ  Ｓｃｈｅｄｕｌｉｎｇ））に主に基づく。
【０００９】
ＡＭＣ（Ａｄａｐｔｉｖｅ  Ｍｏｄｕｌａｔｉｏｎ  ａｎｄ  Ｃｏｄｉｎｇ：適応変調符号化）
携帯電話通信システムでは、ＵＥにより受信される信号の品質は所望基地局と妨害基地局の間の距離、パスロス指数、対数正規シャドウイング、短期レイリーフェージング及びノイズ等の多数の因子に依存する。システム性能、ピークデータレート及び受信地域信頼性を改善するためには、リンク適応と通称されるプロセスにより信号品質変動を考慮するように特定ユーザに送受信される信号を変調する。従来、ＣＤＭＡシステムは伝搬チャネルの変動を制御するための好ましい方法として高速出力制御を使用している。適応変調符号化（ＡＭＣ）は総システム性能を向上すると期待される代替リンク適応法である。ＡＭＣは変調符号化スキームをユーザ毎に平均チャネル条件に適合させる柔軟性がある。ＡＭＣによると、送信信号の出力はフレーム間隔にわたって一定に維持され、変調符号化フォーマットはカレント受信信号品質又はチャネル条件に適合するように変更される。ＡＭＣ方式のシステムでは、基地局（ＢＴＳないしノードＢ）に近いユーザは一般にコードレートが高いほど高次変調を割り当てられる（例えば１６直交振幅変調：Ｑｕａｄｒａｔｕｒｅ  Ａｍｐｌｉｔｕｄｅ  ＭｏｄｕｌａｔｉｏｎないしＱＡＭ、Ｒ＝３／４ターボコード）が、変調次数及び／又はコードレートはＢＴＳ／ノードＢからの距離が増加するにつれて減少する。一般に、変調技術と符号化技術の各組み合わせは「ＭＣＳ（Ｍｏｄｕｌａｔｉｏｎ  ａｎｄ  Ｃｏｄｉｎｇ  Ｓｃｈｅｍｅ：変調符号化スキーム）」と呼ばれ、変調技術と符号化技術の組み合わせ数に従って複数のＭＣＳレベルが定義されている。
【００１０】
Ｈ−ＡＲＱ（Ｈｙｂｒｉｄ  Ａｕｔｏｍａｔｉｃ  Ｒｅｐｅａｔ  ｒｅＯｕｅｓｔ：ハイブリッド自動再送要求）
Ｈ−ＡＲＱは暗黙のリンク適応技術とみなすことができる。ＡＭＣでは明示的なＣ／Ｉ（有効信号電力と干渉を含む雑音の比）測定値又は同様の測定値を使用して変調符号化フォーマットを設定するが、Ｈ−ＡＲＱでは、リンクレイヤ確認応答を再送決定に使用する。Ｈ−ＡＲＱを具体化するためのスキームとしては、チェイス合成法（Ｃｈａｓｅ  Ｃｏｍｂｉｎｉｎｇ：ＣＣ）やインクリメンタルリダンダンシー（Ｉｎｃｒｅｍｅｎｔａｌ  Ｒｅｄｕｎｄａｎｃｙ：ＩＲ）等の多数のスキームがある。
【００１１】
ＣＣ（別称単一冗長度バージョンのＨ−ＡＲＱタイプＩＩＩ）は送信側が同一符号化データパケットを再送する。受信側のデコーダは受信ＳＮＲにより加重された送信パケットのこれらの複数コピーを蓄積する。従って、ダイバーシティ（時間）利得が得られる。複数冗長度バージョンのＨ−ＡＲＱタイプＩＩＩでは、再送毎に異なるパンクチャービットを使用する。
【００１２】
ＩＲ（別称Ｈ−ＡＲＱタイプＩＩ）は符号化パケット全体の単純コピーを送信するのではなく、最初の試みで復号化に失敗した場合に付加冗長情報を増分的に送信するＨ−ＡＲＱ技術の具体化である。
【００１３】
ＡＭＣをＨ−ＡＲＱと組み合わせると、両面の利益が得られ、ＡＭＣにより粗データレート選択が得られると共に、Ｈ−ＡＲＱによりチャネル条件に基づくデータレート微調整が得られる。
【００１４】
再送プロセスの複雑さを制限するために、３ＧＰＰはＨ−ＡＲＱの具体化に停止・待機（ｓｔｏｐ  ａｎｄ  ｗａｉｔ：ＳＡＷ）スキームを選択している。ＳＡＷ  Ｈ−ＡＲＱは前のパケットデータについて確認応答（ＡＣＫ）を受信する前に複数のデータパケットを連続送信することによりチャネル利用効率を増す。時間又はチャネル数により各々識別されるｎ個のチャネルがＵＥとノードＢの間に設定されるならば、１個のチャネルがＡＣＫ又はＮＡＣＫ（Ｎｅｇａｔｉｖｅ  ＡＣＫ：否定応答）を待機している間に他の（ｎ−１）個のチャネルは送信し続ける。
【００１５】
高速パケットスケジューリング
ＨＳＤＰＡに提案されるスケジューラの例としてはラウンドロビン（Ｒｏｕｎｄ  Ｒｏｂｉｎ：ＲＲ）と最大Ｃ／Ｉ（Ｍａｘｉｍｕｍ  Ｃ／Ｉ）が挙げられる。
【００１６】
ＲＲスケジューラは先入れ先出し（Ｆｉｒｓｔ−Ｉｎ−Ｆｉｒｓｔ−Ｏｕｔ：ＦＩＦＯ）キューにおけるその位置に基づいてユーザをスケジューリングすることにより動作する。このスケジューラは動作の複雑さが最小限になり、ユーザ間公平性が最大になるが、ＵＥチャネル条件を考慮していない。その結果、ユーザは減殺的フェード時にスケジューリングされる場合があり、パケットが破損する可能性がある。
【００１７】
代替方法として、最大Ｃ／Ｉアルゴリズムはその瞬時信号対干渉比（ＳＩＲ）が夫々の基地局において全ユーザで最高であるときにユーザをスケジューリングする。このスケジューリングアルゴリズムは全ユーザに増加的フェード時に送信することができるため、成功送信百分率が高くなる。更に、可能な最高ＭＣＳレベルを各送信中に使用するので、スループット及びスペクトル効率が最大になる。しかし、セクター内のユーザ間の公平性の欠如という欠点がある。
【００１８】
ＨＳ−ＤＳＣＨトランスポートチャネルについて、３ＧＰＰはＲ９９アーキテクチャに合致するＲＮＣ（Ｒａｄｉｏ  Ｎｅｔｗｏｒｋ  Ｃｏｎｔｒｏｌｌｅｒ：無線ネットワークコントローラ）方式アーキテクチャと、スケジューリング用ノードＢ方式アーキテクチャの２種のアーキテクチャを研究項目に加えている。スケジューリングをノードＢに移すと、スケジューラを最新チャネル情報で機能させることにより、スケジューリングの更に効率的な具体化が可能になる。スケジューラはカレントチャネル条件とフェージング環境によりよく適合するように変調を適応させることができる。更に、スケジューラは増加的フェード状態のユーザのみをスケジューリングすることによりマルチユーザダイバーシティを利用するためにアルゴリズムを具体化することができる。従って、ＨＳ−ＤＳＣＨチャネルをノードＢで直接終端することが決定された。特に、Ｈ−ＡＲＱ及びＨＳ−ＤＳＣＨスケジューリングの新規機能をＭＡＣ（Ｍｅｄｉｕｍ  Ａｃｃｅｓｓ  Ｃｏｎｔｒｏｌ：媒体アクセス制御）レイヤに加え、ＵＴＲＡＮでは、ノードＢに配置したＭＡＣ−ｈｓと呼ぶ新規エンティティにこれらの機能を加える。
【００１９】
基本的な下りＨＳ−ＤＳＣＨチャネル構成は１又は数個のＨＳ−ＰＤＳＣＨ（Ｈｉｇｈ  Ｓｐｅｅｄ  Ｐｈｙｓｉｃａｌ  Ｄｏｗｎｌｉｎｋ  Ｓｈａｒｅｄ  ＣＨａｎｎｅｌ：：高速物理的下り共用チャネル）と多数の別個の共用物理的制御チャネル（Ｓｈａｒｅｄ  ｐｈｙｓｉｃａｌ  Ｃｏｎｔｒｏｌ  ＣＨａｎｎｅｌ：ＨＳ−ＳＣＣＨ）から構成される。所与時点でＵＥに割り当てられる共用物理的制御チャネルのセットをＨＳ−ＳＣＣＨセットと呼ぶ。ＴＲ  ２５．３０８によると、ＵＥの観点から見たＨＳ−ＳＣＣＨセット１組におけるＨＳ−ＳＣＣＨ数は最低でＨＳ−ＳＣＣＨ１個から最大でＨＳ−ＳＣＣＨ４個までである。ＵＥは割り当てられたセットにおける全ＨＳ−ＳＣＣＨを連続的にモニターしなければならない。
【００２０】
ＨＳ−ＳＣＣＨはユーザに何時送信するかを通知すると共に、ＨＳ−ＰＤＳＣＨの復号化プロセスに必要な情報をユーザに提供するために使用される。ＨＳ−ＳＣＣＨ情報の開始から対応するＨＳ−ＰＤＳＣＨサブフレームの開始の間には一定の時間ずれが存在する。ＨＳ−ＤＳＣＨ  ＴＴＩ（Ｔｒａｎｓｍｉｓｓｉｏｎ  Ｔｉｍｅ  Ｉｎｔｅｒｖａｌ：送信時間間隔）毎に、各ＨＳ−ＳＣＣＨはＵＥ１個のＨＳ−ＤＳＣＨ関係下り信号を運ぶ。以下の情報がＨＳ−ＳＣＣＨで運ばれる。
−トランスポートブロックセットサイズ及び変調スキームを含むＨＳ−ＤＳＣＨトランスポートフォーマットの動的部分に関する情報を運ぶトランスポートフォーマットリソースインジケータ（Ｔｒａｎｓｐｏｒｔ  Ｆｏｒｍａｔ  ａｎｄ  Ｒｅｓｏｕｒｃｅ  Ｉｎｄｉｃａｔｏｒ：ＴＦＲＩ）。ＴＦＲＩはＨＳ−ＤＳＣＨが対応するＨＳ−ＤＳＣＨ  ＴＴＩでマッピングされる物理的チャネルセットに関する情報（チャネル化コード）も含む。
−対応するＨＳ−ＤＳＣＨ  ＴＴＩのＨ−ＡＲＱプロトコル関係情報と、再送／冗長度バージョンに関する情報を含むＨ−ＡＲＱ関係情報（Ｈ−ＡＲＱ情報）。
【００２１】
更に、ＨＳ−ＳＣＣＨはＨＳ−ＰＤＳＣＨを復号化するために必要な情報をどのＵＥに運ぶかを識別するＵＥ識別子（ＵＥ  Ｉｄ  Ｍａｓｋ又は単にＵＥ  ＩＤ）を運ぶ。
特に、ＨＳ−ＳＣＣＨの第１の部分はＨＳ−ＤＳＣＨ割り当て用のチャネル化コードセットと変調スキームを含み、第２の部分はトランスポートブロックサイズとＨ−ＡＲＱ関係情報を含む。更に具体的には、ＨＳ−ＳＣＣＨは各ＴＴＩがＨＳ−ＤＳＣＨサブフレームの同一長をもつ３個のタイムスロットのサブフレームに細分されるように編成され、ＨＳ−ＳＣＣＨ情報の第１の部分（ＭＣＳ及びチャネル化コードセット）は第１のタイムスロットで送られ、ＨＳ−ＳＣＣＨ情報の第２の部分（トランスポートブロックサイズ及びＨ−ＡＲＱ情報）は第３のタイムスロットで送られる。
【００２２】
米国特許出願第２００３／００３５４０３Ａ１号はＨＳＤＰＡ通信システムでＵＥが同時に情報を受信できるように、同一ＨＳＤＰＡサービスに対応する全ＵＥに共用される情報を送信する方法を提供するという問題に取り組んでいる。ＵＳ  ２００３／００３５４０３  Ａ１によると、このような問題は、共通情報の作製後、共通情報を指定する共通ＩＤ情報を含む制御情報を共用制御チャネル（ＳＨＣＣＨ）で送信する段階と；制御情報が送信されるＴＴＩ以後のＴＴＩ（Ｔｒａｎｓｍｉｓｓｉｏｎ  Ｔｉｍｅ  Ｉｎｔｅｒｖａｌ：送信時間間隔）で共通情報をＳＨＣＣＨで送信する段階を含む方法により解決される。
【特許文献１】米国特許出願第２００３／００３５４０３Ａ１号
【発明の概要】
【発明が解決しようとする課題】
【００２３】
出願人は移動体ネットワーク、特に携帯電話ネットワークで長時間（例えば数分間あるいは数時間）の高速データレートコンテンツ送信（例えばマルチメディアコンテンツ送信）を管理するという問題に取り組んだ。典型的な長時間高速データレート送信サービスとしては、特に複数のユーザが同時に享受することが可能な移動体ネットワークによる１個以上のテレビジョンチャネルの送信が挙げられる。
【００２４】
出願人は高速データレート送信に対応するためにＨＳＤＰＡを使用することができるが、それと同時に、ＨＳＤＰＡに対応するＵＥは送信データを復号化するための可能な制御情報を得るためにＨＳ−ＳＣＣＨに連続的にアクセスするように構成されているので、ＨＳＰＤＡサービスを享受するための現在の設備を長時間送信に適用することは難しいことに気付いた。連続アクセスはＵＥバッテリに強い衝撃を加え、特にＨＳ−ＳＣＣＨに長時間連続アクセスすると、望ましくない急速バッテリ放電がＵＥに生じる可能性がある。
【００２５】
出願人は下りチャネルで送信されるデータ部分の長さを場合により（１ＴＴＩの長さに比較して）高値まで変化させることができるならば、ＨＳＤＰＡで使用されているスキーム（即ちデータ送信用として下りチャネルを提供し、カレントＵＥによる下りチャネル上の送信データの一部の利用可能性に関係する情報を含む制御情報の送信用として少なくとも１個の関連した制御チャネルを提供するスキーム）と実質的に同様のスキームを長時間高速データレート送信用に適応できることを見出した。サービスを享受するＵＥは関連した制御チャネル上を制御情報として送信される適切に定義されたフィールドで目前の利用可能なデータ部分の長さを通知される。有利な点として、データ部分の「長時間」復号化中にＵＥは関連した制御チャネルをモニターしないので、端末のバッテリに加わる衝撃を著しく低減することができる。
【００２６】
特に、出願人によると、前段落に記載したスキームをＨＳＤＰＡでｐ−ｔ−ｍ送信に適用し、ｐ−ｔ−ｐ送信の場合にはＨＳＤＰＡの現行スキームのままにすると適切であると思われる。
【課題を解決するための手段】
【００２７】
第１の側面では、本発明は移動体通信ネットワークの少なくとも１人のユーザに情報コンテンツを送信する方法に関し、前記少なくとも１人のユーザは夫々のユーザ装置を保有している。本方法は、
・前記情報コンテンツの送信用として少なくとも１個の下りチャネルを提供する段階と；
・少なくとも１個の制御チャネルを前記少なくとも１個の下りチャネルに関連付ける段階と；
・前記下りチャネル上の前記情報コンテンツの一部の利用可能性を少なくとも１個のユーザ装置に通知するように構成された第１の制御情報を前記少なくとも１個の制御チャネルで送信する段階と；
・情報コンテンツの少なくとも前記部分の長さについて前記少なくとも１個のユーザ装置に通知するように構成されたタイミングパラメータを含む第２の制御情報を前記少なくとも１個の制御チャネルで送信する段階と；
・前記少なくとも１個の下りチャネルで情報コンテンツの前記部分を送信する段階を含む。
【００２８】
第２の側面では、本発明は第１の側面の方法を実施するように構築されたアクセスネットワークサブシステム（例えばＵＴＲＡＮ）を含む移動体通信ネットワークに関する。
第３の側面では、本発明は移動体通信ネットワークのユーザのユーザ装置で情報コンテンツを受信する方法に関する。本方法は、
・前記情報コンテンツの送信用として提供された下りチャネルに関連しており、前記下りチャネルで送信される情報コンテンツの復号化を可能にするように構成された制御情報の送信用として提供された少なくとも１個の制御チャネルをモニターする段階と；
・前記下りチャネル上の前記情報コンテンツの一部の利用可能性をユーザ装置に通知するように構成された第１の制御情報を前記少なくとも１個の制御チャネルで受信する段階と；
・情報コンテンツの少なくとも前記部分の長さについて前記ユーザ装置に通知するように構成されたタイミングパラメータを含む第２の制御情報を前記少なくとも１個の制御チャネルで受信する段階と；
・前記タイミングパラメータに等しい時間にわたって前記第１の制御情報に基づいて前記下りチャネルにアクセスすることにより、情報コンテンツの前記部分を前記少なくとも１個の下りチャネルで復号化する段階を含む。
【００２９】
第４の側面では、本発明は第３の側面の方法を実施するように構築された移動体通信ネットワーク用ユーザ装置に関する。
本発明の他の特徴及び利点は添付図面を参照して単に非限定的な例示として記載する本発明の好ましい態様に関する以下の詳細な記載により理解されよう。
【図面の簡単な説明】
【００３０】
【図１】ＭＢＭＳ送信用に適応させたＵＭＴＳネットワークを模式的に示す。
【図２】本発明の１態様によるＨＳＤＰＡ移動端末の動作を示すフローチャートである。
【図３ａ】本発明の各種態様による異なる動作サブモードにおけるＨＳＤＰＡ  ＭＢＭＳ送信を模式的に示す。
【図３ｂ】本発明の各種態様による異なる動作サブモードにおけるＨＳＤＰＡ  ＭＢＭＳ送信を模式的に示す。
【図３ｃ】本発明の各種態様による異なる動作サブモードにおけるＨＳＤＰＡ  ＭＢＭＳ送信を模式的に示す。
【図４】別の典型的なＨＳＤＰＡ  ＭＢＭＳ送信動作サブモードを模式的に示す。
【発明を実施するための形態】
【００３１】
図１に模式的に示すような３Ｇ  ＰＬＭＮ、特にＵＭＴＳネットワークは定義された機能を各々もつ多数の論理エレメントを含む。規格では、ネットワークエレメントは論理レベルで定義されているが、各製造業者が終点の物理的装置を提供できるように多数のオープンインタフェースが詳細に定義されているので、一般には類似の物理的具体化となる。ＵＭＴＳネットワークの高度システムアーキテクチャは（ｉ）全無線関係機能を行うＵＴＲＡＮ１０１と、（ｉｉ）外部ネットワークとの通話及びデータ接続の転換及びルーティングに関与するＣＮ（Ｃｏｒｅ  Ｎｅｔｗｏｒｋ：コアネットワーク）に機能的に分類することができる。ＵＴＲＡＮ１０１は特に１個以上の無線送受信局ないしノードＢ（例えば図面のノードＢ１０５）を制御するＲＮＣ（Ｒａｄｉｏ  Ｎｅｔｗｏｒｋ  Ｃｏｎｔｒｏｌｌｅｒ：無線ネットワークコントローラ）１０３を含み（特に、ＲＮＣ１０３はノードＢの制御ＲＮＣ（Ｃｏｎｔｒｏｌｌｉｎｇ  ＲＮＣ：ＣＲＮＣ）であるとみなす）、各ノードＢ１０５は所定エリア（「セル」と言う）内の無線送信に関与する。システムを完成するために、ＵＥ（例えばＵＥ１０７）はユーザ及び無線ネットワークインタフェースと接続する。ＵＥ１０７は例えば携帯電話機又はパーソナルコンピュータ用接続カードから構成することができる。ＵＥ１０７には一般にＵＭＴＳ加入者識別モジュール（Ｓｕｂｓｃｒｉｂｅｒ  Ｉｄｅｎｔｉｔｙ  Ｍｏｄｕｌｅ：ＵＳＩＭ）が搭載される。携帯電話機は無線通信用無線端末として使用され、ＵＳＩＭは一般に加入者情報を記録しており、ネットワークで加入者の認証用アルゴリズムを実施し、認証・暗号化鍵を格納するスマートカードである。ＵＥとＵＴＲＡＮの両者の設計はＷＣＤＭＡ無線技術の特異性に基づき、他方、ＣＮの構造はＧＳＭ／ＧＰＲＳ／ＥＤＧＥネットワーク等の第２世代ＰＬＭＮの構造と同様であり、特に、ＰＳデータ通信に対応するＵＭＴＳネットワークでは、ＣＮはＧＰＲＳ／ＥＤＧＥインフラストラクチャを構成するネットワークエレメントと実質的に同様の多数のネットワークエレメントを含み、特に１個以上のＳＧＳＮ（Ｓｅｒｖｉｎｇ  ＧＰＲＳ  Ｓｕｐｐｏｒｔ  Ｎｏｄｅ：サービングＧＰＲＳサポートノード）１０９と、場合により１個以上のＧＧＳＮ（Ｇａｔｅｗａｙ  ＧＰＲＳ  Ｓｕｐｐｏｒｔ  Ｎｏｄｅ：ゲートウェイＧＰＲＳサポートノード）１１０を含む。図１のＵＭＴＳネットワークは高速データレートコンテンツ（例えばマルチメディアコンテンツ）の送信用にＨＳＤＰＡに対応している。
【００３２】
図１のネットワークアーキテクチャはＵＴＲＡＮに加え、移動局（例えば図面のＭＳ１３７）に対応するためにＧＥＲＡＮ（ＧＳＭ  ＥＤＧＥ  Ｒａｄｉｏ  Ａｃｃｅｓｓ  Ｎｅｔｗｏｒｋ：ＧＳＭ  ＥＤＧＥ無線アクセスネットワーク）１２１も含むことができ、ＧＥＲＡＮ１２１はＵＴＲＡＮ１０１と同様の構造であるが、ＧＳＭ／ＧＰＲＳ／ＥＤＧＥコンテキストでは、ＲＮＣの機能はＢＳＣ（Ｂａｓｅ  Ｓｔａｔｉｏｎ  Ｃｏｎｔｒｏｌｌｅｒｓ：基地局コントローラ）１２３と呼ばれるネットワーク機能により実施され、特定セルで無線通信に関与する装置は一般にＢＴＳ（Ｂａｓｅ  Ｔｒａｎｓｃｅｉｖｅｒ  Ｓｔａｔｉｏｎｓ：基地送受信局）１２４と呼ばれる。
【００３３】
図１にはネットワークの各種機能エンティティ間の各インタフェースＵｕ、Ｕｍ、Ｉｕ、Ｇｂ、Ｇｎ、Ｇｐ、Ｇｍｂ、Ｇｉも示す。このような「オープン」インタフェースにより、ネットワークオペレータは互換性の問題を減らし、異なる製造業者により製造された装置でネットワークを構築することができる。
【００３４】
図１のＵＭＴＳネットワークはＭＢＭＳに対応するように構成されている。ＭＢＭＳはデータを単一エンティティ即ちソースから複数の受信者に送信するサービスである。同一データを複数の受信者に送信すると、ネットワークリソースを異なるユーザ間で共用することができるため、節約することができる。ＭＢＭＳは３ＧＰＰアーキテクチャの既存機能エンティティに多数の新規機能を追加し、多数の新規機能エンティティを追加することにより実現される。ＭＢＭＳベアラサービスを提供するためには、ＭＢＭＳに固有のものを含めた数種のＭＢＭＳ関係機能及びプロシージャを実施するようにＵＭＴＳネットワークの所定の機能エンティティ、特にＧＧＳＮ１１０、ＳＧＳＮ１０７、及びＲＮＣ１０３（同様にＢＳＣ１２３）等のＰＳドメインエンティティを拡張する。ＨＳＤＰＡでは、本発明の教示に従ってＭＢＭＳ送信に対応するようにノードＢ１０５の機能も変更することができる。ＭＢＭＳサービスを提供するために放送・同報サービスセンター（Ｂｒｏａｄｃａｓｔ  Ｍｕｌｔｉｃａｓｔ  Ｓｅｒｖｉｃｅ  Ｃｅｎｔｒｅ：ＢＭ−ＳＣ）１２０等の特定機能エンティティもＵＭＴＳネットワークに配置してもよい。
【００３５】
より具体的には、図１を参照すると、ＢＭ−ＳＣ１２０はＭＢＭＳサービス提供及び配信のための１組の機能を提供する。ネットワーク内のコンテンツプロバイダー（Ｃｏｎｔｅｎｔ  Ｐｒｏｖｉｄｅｒ：ＣＰ）１２５等の情報コンテンツソースにより提供される情報コンテンツのＭＢＭＳ送信用入力点として機能することができる。一般に、ＢＭ−ＳＣ１２０はＰＬＭＮ内でＭＢＭＳベアラサービスを承認及び開始するためにも使用され、ＭＢＭＳ送信をスケジューリング及び配信するために使用することができる。更に、ＢＭ−ＳＣ１２０は図中、ＭＢＭＳを介してＵＥ（例えばＵＥ１０７）及びＭＳ（例えばＭＳ１３７）に送信する情報コンテンツを提供する１個以上の外部コンテンツプロバイダー／放送・同報サービス（Ｂｒｏａｄｃａｓｔ  Ｍｕｌｔｉｃａｓｔ  Ｓｅｒｖｅｒｓ：ＣＰ／ＢＭ−Ｓ）（例えばＣＰ／ＢＭ−Ｓ１３０）にパケット−ドメインネットワーク（ＰＤＮ）（例えばインターネット）を介して接続することができる。
【００３６】
ＢＭ−ＳＣ１２０はＭＢＭＳ配信サービスを使用してＵＥ（及び／又はＭＳ）に情報コンテンツを提供することができ、ＭＢＭＳセッション送信をスケジューリングすると共に、ＵＥ／ＭＳがＭＢＭＳセッション送信を識別できるように各ＭＢＭＳセッションをＭＢＭＳセッション識別子でラベルすることができる。同報・放送ＭＢＭＳユーザサービスのサービス告知と、ＭＢＭＳユーザサービスの部分として配信すべき媒体を特定する媒体記述（例えばビデオ及びオーディオ符号化の種類）もＢＭ−ＳＣにより提供することができる。更に、ＢＭ−ＳＣはＭＢＭＳユーザサービスの部分として配信すべきＭＢＭＳセッションを特定するＭＢＭＳセッション記述（又はＭＢＭＳサービス情報）（例えば同報サービス識別、アドレス指定、送信時間等）をＵＥ／ＭＳに提供することもできる。
【００３７】
一般ＵＥ１０７は高速データレート送信情報コンテンツを受信するためにＨＳＤＰＡに対応する。より具体的には、ＵＥ１０７は以下に詳細に説明する手順に従って送信されたＭＢＭＳ情報コンテンツを受信するように構成されている。更に、一般ＵＥ１０７はＭＢＭＳ配信サービスの起動／停止機能に対応する。特定ＭＢＭＳ配信サービスが一旦起動されると、明示的ユーザ要求によりＭＢＭＳデータの受信を要求すべきではなくなるが、ユーザはデータ転送がまもなく開始することを通知してもらうことができる。更に、ＵＥは端末性能に応じて、ＭＢＭＳ配信サービス告知、ページング情報を受信又は同時サービスに対応することもできる。例えば、ユーザはＭＢＭＳビデオコンテンツを受信しながら通話を発信もしくは受信又はメッセージを送受信することができる。一般ＭＳも同様又は同一機能を実施する。
【００３８】
ＵＴＲＡＮ１０１とＧＥＲＡＮ１２１は指定ＭＢＭＳサービスエリアに入るＵＥ及びＭＳに夫々ＭＢＭＳ情報コンテンツ（データ）を効率的に配信する役割をもつ。ＭＢＭＳデータはサービスを要求した全移動体ユーザにシングルコピーで送信される。更に、ＵＴＲＡＮ１０１とＧＥＲＡＮ１２１はＭＢＭＳユーザサービス告知、ページング情報を送信することができ、適切な装置性能をもつユーザがＭＢＭＳ情報コンテンツを受信しながら通話を発信もしくは受信又はメッセージを送受信できるように、ＭＢＭＳと並行して他のサービスに対応することができる。より具体的には、ＵＴＲＡＮ１０１（特にノードＢ１０５）は以下に説明する手順に従い、ＨＳＤＰＡを使用してＵＥ１０７にＭＢＭＳ情報コンテンツを送信するように構成されている。
【００３９】
ＳＧＳＮ１０９はユーザに固有のＭＢＭＳ配信サービス制御機能を実施し、ＵＴＲＡＮ１０１（及びＧＥＲＡＮ１２１）へのＭＢＭＳ送信を提供する。ＳＧＳＮ１０９は相互同報ＭＢＭＳ配信サービスにより課金データを作成することもできる。ＳＧＳＮ１０９はＭＢＭＳデータをユーザに送信すべきときに多数のユーザによりオンデマンドで共用されるＩｕ及びＧｎベアラを設定することができる。これはＧＧＳＮ１１０からの通知により実施することができる。同様に、データを入手できなくなると、ＳＧＳＮ１０９はＧＧＳＮ１１０からの通知によりこれらのＩｕ及びＧｎベアラを解除することができる。
【００４０】
ＧＧＳＮ１１０はＭＢＭＳデータ等の同報トラヒックを含むデータトラヒックの入力点として機能する。ＢＭ−ＳＣ１２０からの通知により、ＧＧＳＮ１１０は放送又は同報型ＭＢＭＳ送信のためにＳＧＳＮに向かうベアラの設定を要求することができる。更に、ＢＭ−ＳＣ１２０からの通知により、ＧＧＳＮ１１０は設定されたベアラを解除することができる。特に、同報サービス用ベアラ設定は特定同報型ＭＢＭＳベアラサービスについて送信を受信するように要求したＳＧＳＮ１０９に向かって実施される。ＧＧＳＮ１１０は（ＢＭ−ＳＣ１２０からであるか、又はネットワーク内部の他の情報コンテンツソース（例えば放送・同報ソース：Ｂｒｏａｄｃａｓｔ／Ｍｕｌｔｉｃａｓｔ  Ｓｏｕｒｃｅ−ＢＭ−Ｓ−１４０）からであるかに拘わらず）同報トラヒックを受信し、このデータをＭＢＭＳベアラサービスの一部として正しいＧＴＰ（ＧＰＲＳ  Ｔｕｎｎｅｌ  Ｐｒｏｔｏｃｏｌ：トンネルプロトコル）トンネルセットアップにルーティングすることができる。
【００４１】
同報モードで配信されたＭＢＭＳ情報コンテンツの受信は典型例としてほぼ順に申込フェーズ、サービス告知フェーズ、加入フェーズ、セッション開始フェーズ、ＭＢＭＳ通知フェーズ、データ転送フェーズ、セッション停止フェーズ及び脱退フェーズを含むプロシージャにより有効になる。申込、加入及び脱退フェーズはユーザ毎に個々に実施される。他のフェーズはＭＢＭＳサービス全体で実施され、即ちこのサービスに関係している全ユーザに実施される。フェーズシーケンスは例えばデータ転送要求に応じて反復することができる。更に、申込、加入、脱退、サービス告知及びＭＢＭＳ通知フェーズはＭＢＭＳサービスの恩恵を受けたいと願う他のユーザに他のフェーズと並行して実施することができる。
【００４２】
申込フェーズでは、ユーザが関連ＭＢＭＳ同報サービスを受信できるように、ユーザとサービスプロバイダーの間に関係が樹立される。このフェーズでは、ユーザは携帯電話ネットワークオペレータにより提供され、利用可能になる特定ＭＢＭＳサービスを受信することに同意する。申込情報はオペレータのネットワークの適切なデータベースに記録される。
【００４３】
サービス告知フェーズでは、ＭＢＭＳユーザサービス告知／発見メカニズムにより、ユーザは利用可能なＭＢＭＳユーザサービスの範囲を要求又は通知してもらうことができ、これらのサービスとしては、（例えばネットワーク内部のＢＭ−Ｓ１４０により提供される）ネットワークオペレータ固有のＭＢＭＳユーザサービスや、ＰＬＭＮの外部のコンテンツプロバイダー（例えばコンテンツプロバイダー１３０）からのサービスが挙げられる。サービス告知はサービスに関する情報、サービス起動に必要なパラメータ（例えばＩＰ同報アドレス）及び場合により他のサービス関係パラメータ（例えばサービス開始時間）をユーザに配信するために使用される。ＳＭＳ等の標準メカニズムや、端末の性能によっては、ユーザ問い合わせを助長するアプリケーションを含む数種のサービス発見メカニズムを採用することができる。
【００４４】
なお、サービス申込及びサービス告知フェーズは時間的に相互に連動せず、サービス申込フェーズはサービス告知フェーズ前後の任意時点で実施することができる。
加入フェーズ（即ちユーザによるＭＢＭＳ同報モード受信の起動）では、加入申込者は同報グループに加入し（即ちそのメンバーになり）、ユーザは特定ＭＢＭＳベアラサービスに関係する同報モードデータを受信したいと望んでいることをネットワークに知らせる。
【００４５】
ＢＭ−ＳＣ１２０が該当特定ＭＢＭＳサービスに関するデータを送信する準備ができると、セッション開始が実施されるが、セッション開始はユーザによるサービスの起動（加入）から独立しており、即ち一般ユーザは関係セッション開始前後のどちらでもＭＢＭＳサービスを起動することができる。セッション開始はＭＢＭＳデータ配信用リソースの設定をトリガする。
【００４６】
上記サービス告知はセッション開始時間のスケジュールを含むことができ、サービスの開始予定時刻の所定時間前に送信することができる。従って、サービス告知からセッション開始までの時間は数時間、数日間又は数週間とすることができる。特に、所定のＭＢＭＳ配信サービスは「常時オン」にすることができ、この場合には、加入フェーズはサービス告知直後又は場合によりセッション開始よりも何時間も前もしくは後に実施することができる。他の場合には、セッション開始時間が分かっているならば、加入はセッション開始直前又はその後に実施することができる。これらのサービスでは、サービス告知はユーザがＭＢＭＳベアラサービスに加入する時点を選択すべき時限の何らかの指示を含むことができる。
【００４７】
ＭＢＭＳ通知フェーズでは、ＵＥは次回の（又は既に進行中の）ＭＢＭＳ同報データ配信を通知される。
データ転送はＭＢＭＳデータがＵＥに転送即ち配信されるフェーズである。セッション開始から最初のデータの到着までの時間に関して、セッション開始は送信がまもなく開始することを示し、セッション開始指示から実際のデータ到着までの時間遅延は無線ベアラの設定のためにセッション開始に必要なネットワーク動作（例えばＵＴＲＡＮ１０１へのサービス情報の提供）が実施されるために十分長くすべきである。セッション開始はＢＭ−ＳＣ１２０からの明示的通知によりトリガすることができる。
【００４８】
ＢＭ−ＳＣ１２０が所定時限（セッションに関連するデータ配信リソースの除去を正当化するために十分長時間）にわたって送信するデータが存在しなくなっていることを確認すると、セッション停止が実施される。セッション停止の結果、ＭＢＭＳ配信リソースは解除される。
【００４９】
ユーザによる脱退ないしＭＢＭＳ同報停止は加入者が同報グループから脱退する（即ちメンバーでなくなる）プロセスであり、即ちユーザは特定ＭＢＭＳサービスの同報モードデータの受信を希望しなくなっている。
【００５０】
放送モードＭＢＭＳの供給に関与するフェーズは同報モードＭＢＭＳについて記載したフェーズのサブセットであり、申込フェーズ、サービス告知フェーズ、加入フェーズ、セッション開始フェーズ、ＭＢＭＳ通知フェーズ、データ転送フェーズ、セッション停止フェーズ及び脱退フェーズを含む。フェーズシーケンスは例えばデータ転送要求に応じて反復することができる。サービス告知フェーズとＭＢＭＳ通知フェーズは関係サービスをまだ受信していないＵＥに通知するために、他のフェーズと並行して実施することも可能である。
【００５１】
ユーザはＭＢＭＳサービスを享受したいと望むときにはいつでも上記プロシージャに従ってサービスを起動する。サービス起動及びセッション開始後に、適格ＲＮＣ（即ちユーザが現在位置しているエリアに適格なＲＮＣ、例えばＵＥ１０７ではＲＮＣ１０３）はＭＢＭＳサービスに関係する情報コンテンツの配信に対応するために、無線インタフェースを介してＲＡＢ（Ｒａｄｉｏ  Ａｃｃｅｓｓ  Ｂｅａｒｅｒ：無線アクセスベアラ）をセットアップする。
【００５２】
３ＧＰＰ  ＴＳ  ２５．３４６  Ｖ．６．４．０に記載されている詳細によると、無線プロトコルの観点から、ＭＢＭＳサービスエリア内の１個以上のネットワークセルを制御している一般Ｃ−ＲＮＣ（例えば図１のＣ−ＲＮＣ１０３）はＭＢＭＳサービス毎にＭＢＭＳサービスコンテキストを維持する。各Ｃ−ＲＮＣ  ＭＢＭＳサービスコンテキストはＭＢＭＳサービス識別子に関連している。
【００５３】
ＭＢＭＳセッション開始及びセッション停止プロシージャはＭＢＭＳ  Ｉｕシグナリング接続を設定及び解除する役割をもつ。
ＭＢＭＳセッション開始フェーズ及びＭＢＭＳセッション停止フェーズでは、ＲＮＣはコアネットワークから夫々の要求を受信する。ＭＢＭＳセッション開始要求はＭＢＭＳサービス識別子、ＭＢＭＳ配信サービスタイプ及びＭＢＭＳセッション属性（ＭＢＭＳサービスエリア情報、ＱｏＳパラメータ等）を含む。ＭＢＭＳセッション開始要求により、ＲＮＣはＭＢＭＳセッション開始のＭＢＭＳサービスを起動しているＵＥに通知する。ＭＢＭＳセッション停止要求により、ＲＮＣはＭＢＭＳセッション停止のＭＢＭＳサービスを起動しているＵＥに通知することができる。
【００５４】
ＭＢＭＳセッション開始プロシージャ及びセッション停止プロシージャはＭＢＭＳ  ＲＡＢのセットアップと解除を決定する。特に、ＭＢＭＳセッション開始要求はＭＢＭＳ  ＲＡＢをセットアップするために必要な全情報を含む。一般ＲＮＣはＭＢＭＳセッション開始要求を受信すると、一般にＭＢＭＳ  Ｉｕデータベアラセットアップを実施し、ＭＢＭＳセッション開始応答メッセージで、セットアップ結果に関する要求を送信したコアネットワークノードに通知する。一般ＲＮＣはＭＢＭＳセッション停止要求を受信すると、関連ＭＢＭＳ  ＲＡＢリソースを解除する。
【００５５】
本発明はＨＳＤＰＡ技術を使用してＭＢＭＳ  ＲＡＢを提供する。一般にｐ−ｔ−ｐ  ＨＳＤＰＡセッション中には、共用下りＨＳ−ＤＳＣＨに対応する（下り及び上り両者の）専用チャネルＤＰＣＨが各ＨＳＤＰＡユーザに割り当てられる。ノードＢにおけるスケジューリングアルゴリズムはＨＳＤＰＡユーザ１人ずつのトラヒック容量をモニターし、ＴＴＩ毎にアルゴリズムは１個又は２個以上の端末に向かって送信するために所定数のコードを選択する。共用ＨＳ−ＤＳＣＨチャネルによる送信メカニズムはＨＳ−ＳＣＣＨ制御チャネルに基づく。ＨＳＤＰＡ規格によると、このチャネルは連続的に送信され、ＨＳＤＰＡ端末によりモニターされる（「連続的に」とは、各端末がＴＴＩ毎又は所定数のＴＴＩ毎、例えば２ＴＴＩ毎にＨＳ−ＳＣＣＨをモニターすることを意味する）。パケットデータ送信用サブフレームに先行するサブフレームでは、ノードＢはＨＳ−ＳＣＣＨに以下の情報を送信する。
・次のサブフレームで送信されるデータについてコードが割り当てられる移動体識別子ＵＥ  Ｉｄ；移動体識別子は１６ビットから構成され、セルでＭＡＣにより一意に定義され、ＨＳ−ＤＳＣＨ無線ネットワーク端末識別子（Ｒａｄｉｏ  Ｎｅｔｗｏｒｋ  Ｔｅｒｍｉｎａｌ  Ｉｄｅｎｔｉｆｉｅｒ：Ｈ−ＲＮＴＩ）と呼ばれる；
・使用される変調；１ビットにより指定される（ＭＳ：Ｍｏｄｕｌａｔｉｏｎ  Ｓｃｈｅｍｅ：変調スキームＱＰＳＫ又は１６−ＱＡＭ）；
・復調すべきＯＶＳＦ（Ｏｒｔｈｏｇｏｎａｌ  Ｖａｒｉａｂｌｅ  Ｓｐｒｅａｄｉｎｇ  Ｆａｃｔｏｒ：直交可変拡散率）コードの数と位置；７ビットのＣＣＳ（Ｃｈａｎｎｅｌｉｚａｔｉｏｎ  Ｃｏｄｅ  Ｓｅｔ：チャネル化コードセット）フィールドで符号化される；
・使用されるチャネル符号化スキームを定義する無線ブロック寸法（トランスポートブロック）；データブロックの寸法は６ビットにより指定される（ＴＢＳ，Ｔｒａｎｓｐｏｒｔ  Ｂｌｏｃｋ  Ｓｉｚｅ：トランスポートブロックサイズ）；
・Ｈ−ＡＲＱプロセスに関する情報（ＨＡＲＱ情報，７ビット）：１ビットは再送が実施されるか又は新規送信が実施されるかを示し、３ビットは使用されるパンクチャリングスキームを示し、３ビットは再送が帰属するＨ−ＡＲＱプロセスのコンフィギュレーションを示す。
【００５６】
ＨＳ−ＳＣＣＨはＨＳ−ＤＳＣＨサブフレームの同一長をもつ３タイムスロット（２ｍｓに対応）のサブフレームで編成され、ＳＦ（Ｓｐｒｅａｄｉｎｇ  Ｆａｃｔｏｒ：拡散率）１２８のＯＶＳＦコードを使用し、各ＨＳ−ＳＣＣＨはＴＴＩ当たりユーザ１人をアドレス指定することができるので、同一ＴＴＩ内の各コード群で複数の端末にデータを送信するには、同一ＴＴＩでアドレス指定すべきユーザ数に等しい数のＨＳ−ＳＣＣＨをセル１個に構築する必要がある。既に予想された通り、ＨＳＤＰＡ規格によると、セル１個に構築することができるＨＳ−ＳＣＣＨの最大数はＳＦ１２８の４個のコードで４であり、ＨＳ−ＳＣＣＨに割り当てられるコードはセル内のシステム情報放送で指定される。変調スキームは一般にＱＰＳＫである。
【００５７】
ＨＳ−ＳＣＣＨの構造により、後続サブフレームでのＨＳ−ＤＳＣＨ記号の復号化に必要な全情報（ＭＳ及びＣＣＳ）に最初のタイムスロットでアクセスすることができ、この構造により、共用チャネルと共用トラヒックチャネルの時間関係をＨＳ−ＳＣＣＨと対応するＨＳ−ＤＳＣＨサブフレームの送信の間に必要な予想値である２タイムスロット（サブフレームの２／３）まで低減して最適化することができる。
【００５８】
より具体的には、ＨＳＤＰＡ規格によると、端末により実施される動作のシーケンスは以下の通りである。
１）ＵＥはＨＳ−ＳＣＣＨで送信されるビットを受信し、それ自体のＵＥ  ＩＤによるマスキングを除去した後にＨＳ−ＳＣＣＨの第１の部分のみの復号化を実施し（最初のタイムスロット）、ＵＥ  ＩｄとＵＥ  ＩＤ情報に対応が存在しない場合には、ＵＥは情報が別のユーザにアドレス指定されていると理解する。
２）第１の部分の復号化で得られたＵＥ  ＩＤシーケンスがそれ自体のＵＥ  ＩＤと一致する場合には、ＵＥはコード群と変調符号化スキームに関する情報を使用し、ＨＳ−ＤＳＣＨで送信されるデータにアクセスし、受信する。変調スキームとコード群を誘導するために必要な計算時間は１タイムスロット（２番目のタイムスロット）に等しい。
３）ＨＳ−ＤＳＣＨサブフレームで送信されるデータの受信と並行して、ＵＥは使用されるＨ−ＡＲＱスキームを計算するために、ＨＳ−ＳＣＣＨで送信される情報の第２の部分を復号化し、ＨＳ−ＳＣＣＨで送信される２部分に基づいて計算されたＣＲＣの一貫性を検証する；
４）ＣＲＣの適正な検証後、ＵＥはＨＳ−ＤＳＣＨ上のデータブロックを復号化することができる。
【００５９】
上記情報の符号化スキームとチャネル間の時間関係により、時間軸の管理の効率が非常に高くなる。有利な点として、ＭＢＭＳ送信，特にｐ−ｔ−ｍ  ＲＡＢのセットアップにも同一スキームを使用することができる。特に、送信すべき各ＭＢＭＳチャネルはＨＳ−ＳＣＣＨチャネルで送信可能な識別子であるＭＢＭＳ  ＩＤに関連し、ＵＥ  ＩＤに提供されるフィールドをＭＢＭＳ  ＩＤの送信に使用することができる。ＨＳ−ＳＣＣＨセットは４個までの並列ＨＳ−ＳＣＣＨを含むことができるので、４個の異なるＭＢＭＳチャネルを同時に送信することができ、あるいは（変調符号化スキームに関して）４種の異なる送信フォーマットで同一ＭＢＭＳチャネルを送信することができ、あるいはその適切な任意組み合わせで送信することができる。ＭＢＭＳ  ＩＤはシステム情報で放送することもできるし、あるいは３ＧＰＰ  ＭＢＭＳアーキテクチャに整合するように、ＵＴＲＡＮはＭＢＭＳ  ＩＤ、コアネットワークから受信する場合にはＭＢＭＳセッションＩＤ、及び該当ＭＢＭＳサービスのｐ−ｔ−ｍ無線ベアラ情報を加えることにより、ＭＢＭＳサービス情報及び／又はＭＢＭＳ無線ベアラ情報としてＭＢＭＳ  ＩＤをＭＢＭＳ制御チャネル（Ｃｏｎｔｒｏｌ  ＣＨａｎｎｅｌ：ＭＣＣＨ）上に送信することができる。
【００６０】
ＭＢＭＳ送信にもＨＳＤＰＡを使用できると、非常に高い効率を達成できるが、ＵＥが少なくとも１個のＨＳ−ＳＣＣＨチャネルを連続的にモニターし、３タイムスロットサブフレーム毎にこのチャネルの最初のタイムスロットを復号化するという事実は、特に長時間コンテンツ送信の場合にＨＳＤＰＡ  ＵＥのバッテリに非常に強い衝撃を与えることに出願人は気付いた。
【００６１】
この問題を解決するために、本発明によると、ＵＥは少なくとも１個のＨＳ−ＳＣＣＨチャネルを連続的にモニターせず、サブフレーム毎にこのチャネルの最初のタイムスロットを連続的に復号化しない。この動作方法はＭＢＭＳ送信に有利に実施することができる。本発明によるＭＢＭＳのＨＳＤＰＡ動作を以下の記載では「ＨＳＤＰＡ  ＭＢＭＳモード」と言う。ＨＳＤＰＡ  ＭＢＭＳモードにあるときには、ＨＳ−ＳＣＣＨはＵＥにより不連続にモニターされる。より具体的には、まずＨＳ−ＳＣＣＨチャネルは特定ＭＢＭＳサービスを要求したＵＥによりモニターされ、ＨＳ−ＳＣＣＨ上でＵＥは次のＴＴＩから開始してＨＳ−ＤＳＣＨ上を送信されるＭＢＭＳコンテンツ部分の長さを通知される。ＭＢＭＳコンテンツ部分の長さを以下の記載では「ＭＢＭＳ周期」と言う。ＭＢＭＳ周期中に、ＵＥはＨＳ−ＳＣＣＨ情報のモニターと復号化を回避することができる。この動作方法により、ＨＳＤＰＡ端末のバッテリにかかる衝撃を低減することができる。
【００６２】
図２はＨＳＤＰＡ  ＭＢＭＳを使用可能になったＵＥの可能な動作モードによるフローチャートを示す。ＵＥはＨＳ−ＳＣＣＨをモニターし、次の利用可能な３タイムスロットサブフレームを受信する（ブロック２０１）。ＨＳ−ＳＣＣＨサブフレームの最初のタイムスロットに含まれるＩＤの復号化（ブロック２０２）後に、ＵＥは検索したＩＤがその前に割り当てられたＵＥ  ＩＤ及び／又はＭＢＭＳ  ＩＤと一致しているか否かをチェックする（決定ブロック２０３）。ノーの場合（決定ブロック２０３，出口分岐「Ｎ」）には、ＵＥは再び次のＨＳ−ＳＣＣＨサブフレームをモニターする（ブロック２０１）。イエスの場合（決定ブロック２０３，出口分岐「Ｙ」）には、ＵＥは検索したＩＤがＭＢＭＳチャネルに割り当てられたＩＤに対応するか否か、即ち検索したＩＤがＭＢＭＳ  ＩＤであるか否かをチェックする（決定ブロック２０４）。ノーの場合（決定ブロック２０４，出口分岐「Ｎ」）には、ＵＥはＨＳ−ＤＳＣＨ上で次の３タイムスロットサブフレームを受信し（ブロック２０５）、即ちＨＳＤＰＡ規格に従って動作する。イエスの場合（決定ブロック２０４，出口分岐「Ｙ」）には、ＵＥはＨＳ−ＳＣＣＨサブフレームに含まれるＭＢＭＳ周期を検索し（ブロック２０６）、ＭＢＭＳ周期に等しい時間にわたってＨＳ−ＤＳＣＨ上を送信される情報を受信する（ブロック２０７）。ＭＢＭＳ情報部分を受信後、ＵＥは再び次の利用可能なＨＳ−ＳＣＣＨサブフレームをモニターし（ブロック２０１）、復号化プロセスを再開する。
【００６３】
好ましい態様では、ＭＢＭＳ周期はＵＥが送信中のＭＢＭＳチャネルに加入した場合に、ＨＳ−ＳＣＣＨをモニターせずに受信することができるＴＴＩ数（又はＴＴＩの一定倍数、例えば２ＴＴＩ）として定義される。例えば、ＭＢＭＳ周期はインクリメンタルステップの粒度２ｍｓ（１ＴＴＩに対応）で０〜３０ｍｓ、及び／又は粒度４ｍｓ（２ＴＴＩに対応）で０〜６０ｍｓの時間範囲の値をとることができる。
【００６４】
ＭＢＭＳ周期を加えるためには、ＨＳ−ＳＣＣＨ情報における適正なフィールドを定義する必要がある。本発明の好ましい態様によると、Ｈ−ＡＲＱ情報を標準ｐ−ｔ−ｐ  ＨＳＤＰＡモードに加えるためのフィールドはＭＢＭＳ周期をＨＳＤＰＡ  ＭＢＭＳモードに加えるためのフィールドとすることができる。ＨＳＤＰＡ規格によると、Ｈ−ＡＲＱフィールドは７ビットから構成され、１ビットはＨＳ−ＤＳＣＨ上を送信される部分が新規送信を表すか又は再送を表すかを示し、３ビットは再送に使用されるパンクチャリングスキームを示し、残りの３ビットは再送が帰属するＨ−ＡＲＱプロセスを示す。ＨＳＤＰＡ  ＭＢＭＳモードでは、次に送信されるＭＢＭＳ情報コンテンツ部分のＭＢＭＳ周期長の所定ＭＢＭＳチャネルに加入するＵＥに通知するためにＨ−ＡＲＱフィールドのビットの少なくとも一部を使用することができる。例えば、ＴＴＩ数（又はＴＴＩの一定倍数）として定義されるＭＢＭＳ周期を加えるために４ビットを充てることができる。
【００６５】
ＭＢＭＳ周期を加えるためにＨ−ＡＲＱフィールドを使用する場合には、ＨＳＤＰＡ  ＭＢＭＳモードで動作するときにＨＳＤＰＡ規格によるこのフィールドの意味を少なくとも部分的に変えるべきである点が留意される。特に、好ましい態様は再送プロシージャの起動下（確認応答モード）又は再送プロシージャの非起動下（否定応答モード）のＭＢＭＳ送信を区別するためにＨ−ＡＲＱフィールドの１ビット（例えば最初の１ビット）を使用するように構成することができる。否定応答ＨＳＤＰＡ  ＭＢＭＳモードの場合には、所定ＭＢＭＳサービスに加入するＵＥが受ける無線チャネル条件に関係付けることができるＭＢＭＳ送信の所定同調に各々対応するＨＳＤＰＡ  ＭＢＭＳモードの動作の各種サブモードを識別するためにＨ−ＡＲＱフィールドの残りのビット（ＭＢＭＳ周期に充てるビットも考慮する）を使用することができる。ＭＢＭＳ送信を同調するためには、ノードＢで統計アルゴリズムを実施することができる。より具体的には、好ましい態様では、Ｈ−ＡＲＱフィールドの定義済みビット構成により各々識別される異なるＨＳＤＰＡ  ＭＢＭＳサブモードにＭＢＭＳ  ＨＳＤＰＡモードを分類することができる。
【００６６】
以下、Ｈ−ＡＲＱフィールドの典型的な非限定的構成を詳細に記載する。この典型的構成では、確認応答モードと否定応答モードの送信を区別するためにＨ−ＡＲＱフィールドの最初の１ビットを使用する。否定応答モードでは、Ｈ−ＡＲＱフィールドの４ビットをＭＢＭＳ周期に使用し、残りの２ビットにより（使用するＡＭＣスキームに基づいて区別した）４種の異なるＨＳＤＰＡ  ＭＢＭＳ送信サブモードを定義することができる。確認応答モードでは、Ｈ−ＡＲＱの残りの６ビットの意味はＨＳＤＰＡ規格と同様に維持されるので、ＭＢＭＳ周期はＵＥに送信されなくなる。以下に説明するように、この典型的構成では、厳密に必要な場合のみに確認応答モードを起動した後、ネットワークは否定応答モードの使用を試み、その場合には、前に否定応答送信モード中に加入ＵＥに通知したＭＢＭＳ周期に基づくスケジューリングをネットワークにより維持し、確認応答送信モード中にＵＥにより使用することができる。
【００６７】
更に詳細に説明すると、下表１はＨＳ−ＳＣＣＨ上を送信されるＨ−ＡＲＱフィールドが本例に従って取る構成を示す。表１の最下行のＨ−ＡＲＱフィールドの残りの６ビットにおける「Ｓｔｄ」とは、このようなビットがその標準意味、即ちＨＳＤＰＡ規格（上記参照）で定義される意味で使用されるという事実を示す。
【００６８】
【表１】
0005461625.tif 000002
【００６９】
サブモード１ａ：シングルクラスＭＢＭＳ  ＡＭＣモード
この動作モードでは、ＵＴＲＡＮは単一ＨＳ−ＳＣＣＨを共用ＨＳ−ＤＳＣＨ（あるいはより厳密には関連した物理的共用チャネルＨＳ−ＰＤＳＣＨ）に関連付けるので、ＭＢＭＳチャネルに加入した全ＵＥは１個のＨＳ−ＳＣＣＨサブフレームで同一ＭＢＭＳ周期を受信する。ＭＢＭＳチャネルの送信に使用される変調符号化（ＡＭＣ）（ＱＰＳＫ又はＱＡＭ）はＭＢＭＳ周期中に経時的に変化しない。他方、ＭＢＭＳ周期及び／又はチャネル化コードセットは加入端末からのＣＱＩフィードバックに基づいて変動させることができる。図３ａはこの動作サブモードのＨＳＤＰＡ  ＭＢＭＳ送信を模式的に示す。同図から明らかなように、制御チャネルＨＳ−ＳＣＣＨ＃１上の最初のＨＳ−ＳＣＣＨサブフレームの送信は３タイムスロットを要し、９タイムスロット長（即ち３ＴＴＩないし６ｍｓのＭＢＭＳ周期）をもつＭＢＭＳ情報コンテンツの一部がＨＳ−（Ｐ）ＤＳＣＨ＃１上を間もなく送信されることを知らせる。ＨＳＤＰＡ規格と同様に、ＨＳ−（Ｐ）ＤＳＣＨ＃１上の送信はＨＳ−ＳＣＣＨ＃１上の送信と部分的にオーバーラップする（ＨＳ−ＳＣＣＨ＃１サブフレームの最後のタイムスロットはＨＳ−（Ｐ）ＤＳＣＨ＃１サブフレームの最初のタイムスロットと同時である）。ＭＢＭＳ周期に対応する時間間隔中に、ＵＥはＨＳ−ＳＣＣＨ＃１をモニターしない。ＭＢＭＳ周期後に、別のＨＳ−ＳＣＣＨサブフレームがＨＳ−ＳＣＣＨ＃１上を送信され、場合により新規ＭＢＭＳ周期、及び／又は変調符号化、及び／又はチャネル化コードセットをＵＥに知らせる。
【００７０】
サブモード１ｂ：マルチクラスＭＢＭＳ  ＡＭＣモード
この動作モードでは、ＵＴＲＡＮはＱＰＳＫ符号化に関係する制御情報を運ぶ第１のＨＳ−ＳＣＣＨと、ＱＡＭ条件に関係する制御情報を運ぶ第２のＨＳ−ＳＣＣＨの２個のＨＳ−ＳＣＣＨを共用ＨＳ−ＤＳＣＨ（あるいはより厳密には関連した物理的共用チャネルＨＳ−ＰＤＳＣＨ）に関連付ける。ＭＢＭＳチャネルに加入した夫々の変調／符号化に対応するＵＥは１個のＨＳ−ＳＣＣＨサブフレームで同一ＭＢＭＳ周期を受信する。ＭＢＭＳチャネルの送信に使用される変調（ＱＰＳＫ又はＱＡＭ）は各ＨＳ−ＳＣＣＨで経時的に変化しない。他方、次のＨＳ−ＳＣＣＨサブフレームでは、例えば２個のＨＳ−ＳＣＣＨにおける加入端末からのＣＱＩフィードバックに基づいてＭＢＭＳ周期、変調符号化及び／又はチャネル化コードセットを独立して変動させることができる。この動作モードでは実際に全ＵＥの最大能力を利用するリソースを割り当てることが可能になる。図３ｂはこの動作サブモードのＨＳＤＰＡ  ＭＢＭＳ送信を模式的に示す。同図から明らかなように、制御チャネルＨＳ−ＳＣＣＨ＃１及びＨＳ−ＳＣＣＨ＃２上の最初のＨＳ−ＳＣＣＨサブフレームの送信は３タイムスロットを要し、ＱＰＳＫ及びＱＡＭ符号化の両者について９タイムスロット長（即ち３ＴＴＩないし６ｍｓのＭＢＭＳ周期）をもつＭＢＭＳ情報コンテンツの一部がＨＳ−（Ｐ）ＤＳＣＨ＃１上を間もなく送信されることを知らせる。ＨＳ−（Ｐ）ＤＳＣＨの帯域幅は使用される２種のＡＭＣに分割される。ＨＳ−（Ｐ）ＤＳＣＨ＃１上の送信はＨＳ−ＳＣＣＨ＃１及びＨＳ−ＳＣＣＨ＃２上の送信と部分的にオーバーラップする。ＭＢＭＳ周期に対応する時間間隔中に、ＵＥはＨＳ−ＳＣＣＨ＃１とＨＳ−ＳＣＣＨ＃２のどちらもモニターしない。ＭＢＭＳ周期後に、別のＨＳ−ＳＣＣＨサブフレームがＨＳ−ＳＣＣＨ＃１及びＨＳ−ＳＣＣＨ＃２上を送信され、場合により新規ＭＢＭＳ周期、及び／又は変調符号化、及び／又はチャネル化コードセットをＵＥに知らせる。
【００７１】
サブモード１ａ’：シングルクラスＭＢＭＳ  ＡＭＣモード
この動作モードは上記サブモード１ａと同一特徴をもち、後述するように、間もなく再送サブモード（２ａ）に転換されることをＵＥに通知するために使用することができる。
【００７２】
サブモード１ｂ’：マルチクラス交互ＭＢＭＳ  ＡＭＣモード
この動作モードは上記モード（サブモード１ｂ，マルチクラスＭＢＭＡ  ＡＭＣモード）と同様である。ＨＳ−（Ｐ）ＤＳＣＨで使用される夫々のＡＭＣに割り当てられる制御情報を送信するために、２個の制御チャネルＨＳ−ＳＣＣＨ＃１及びＨＳ−ＳＣＣＨ＃２をＵＴＲＡＮによりセットアップする。他方、この場合には、ＱＡＭで送信される情報（又はその送信を制御するための情報）とＱＰＳＫで送信される情報（又はその送信を制御するための情報）を交互にすることにより、ＨＳ−ＳＣＣＨ及びＨＳ−（Ｐ）ＤＳＣＨの両者による送信をスケジューリングする。この動作モードはＵＥの一部が２個のＴＴＩのＴＴＩ間距離に対応する場合に有用であると思われる。この場合には、各ＭＢＭＳ周期で変調符号化及び／又はチャネル化コードセットを変化させることが可能である。他方、ＨＳ−ＳＣＣＨ＃１とＨＳ−ＳＣＣＨ＃２のＭＢＭＳ周期は同一にすべきである。図３ｃはこの動作モードのＨＳＤＰＡ  ＭＢＭＳ送信を模式的に示す。同図から明らかなように、制御チャネルＨＳ−ＳＣＣＨ＃１及びＨＳ−ＳＣＣＨ＃２上の送信は交互であり、即ち（例えばＱＡＭを使用して送信されるＭＢＭＳ情報コンテンツの一部を復号化するための情報を運ぶ）ＨＳ−ＳＣＣＨ＃１上のサブフレームの送信と、（例えばＱＰＳＫを使用して送信されるＭＢＭＳ情報コンテンツの一部を復号化するための情報を運ぶ）ＨＳ−ＳＣＣＨ＃２上のサブフレームの送信を交互に行う。ＨＳ−（Ｐ）ＤＳＣＨ上の送信も交互であり、即ち最初のＴＴＩはＱＡＭを使用して実施される送信に割り当てられ、２番目のＴＴＩはＱＰＳＫを使用して実施される送信に割り当てられる。図３に示す場合にＵＥに通知されるＭＢＭＳ周期は２ＴＴＩ（又は４ｍｓ）である。
【００７３】
動作中に、ＭＢＭＳ  ＲＡＢのセットアップ時とコンテンツ送信中に、ＵＴＲＡＮは所定ＭＢＭＳサービスに加入済み／加入中のＵＥから性能情報を収集することができる。このような性能情報としては、例えば、
・対応変調（ＱＰＳＫ又はＱＡＭ）、
・ＴＴＩ間距離、
・下り最大スループットが挙げられる。
【００７４】
収集したＵＥ特性から開始し、ＵＴＲＡＮ上のアルゴリズムは同一ＭＢＭＳチャネルへのアクセスを保証するために、同一ＨＳＤＰＡチャネルを共用することになる全端末により対応可能な送信特性（例えば対応変調、ＴＴＩ間距離、下り最大スループット）を設定することができる。換言するならば、収集したＵＥ特性から開始し、アルゴリズムは加入ＵＥにより良好にサービスを提供するためにはどのＨＳＤＰＡ  ＭＢＭＳ動作サブモードを起動すべきかを設定する。
【００７５】
例えば、全ＵＥが１ＴＴＩのＴＴＩ間距離に対応し、１６−ＱＡＭ  ＵＥ数が（例えば所定ＭＢＭＳサービスを要求したＵＥの合計数の３０％に設定された）設定可能な閾値未満である場合には、ＱＰＳＫ変調でサブモード１ａモードを適用することができる。この場合には、１６−ＱＡＭ変調が可能なＵＥには同一サービスに加入しているＱＰＳＫ変調のみが可能な端末と同一リソースを共用するものがあるので、これらのＵＥはＱＰＳＫモードで動作させる。他方、１６−ＱＡＭ対応端末数が上記閾値を上回る場合には、サブモード１ｂを適用することができる。
【００７６】
最初のＭＢＭＳ周期後、ＵＴＲＡＮは（例えば提供すべきＭＢＭＳサービス数、及び／又は各ＭＢＭＳサービスのユーザ数、及び／又は例えばＴＴＩ間距離及び／又は対応変調スキームの観点のＵＥ性能の関数として）動作サブモード、及び／又は使用される動作サブモーの特徴の少なくとも１種（例えばＭＢＭＳ周期、及び／又はＭＣ、及び／又はチャネル化コードセット）を変更し、次の利用可能なＨＳ−ＳＣＣＨサブフレームでこのような変更を通知することができる。送信パラメータの少なくとも一部を正しく設定するためには、一般に１ＴＴＩのスケジューリングに基づいて実施される加入ＵＥからのＣＱＩフィードバックを使用することができる。ＣＱＩはＵＥが１０％のＢＬＥＲ（ＢＬｏｃｋ  Ｅｒｒｏｒ  Ｒａｔｉｏ：ブロックエラー比）を得られるようなトランスポートフォーマットの明示的指示を含む。特に、ｍ個のＵＥが所定ＭＢＭＳチャネルに加入している場合には、１ＭＢＭＳ周期で無線ネットワークはｍ＊「ＭＢＭＳ周期」／２（ＴＴＩは２ｍｓ）ＣＱＩ値を収集することになる。受信したＣＱＩフィードバックを管理するためにＵＴＲＡＮで統計アルゴリズムを実施し、ＨＳＤＰＡ  ＭＢＭＳ送信の動作モードを決定することができる。実施される統計アルゴリズムは全ＵＥに「最良の代表的ＣＱＩ」（即ち現在サービスを受けている全ＵＥが受ける総チャネル品質を表すＣＱＩ値）を計算すべきであり、この値に基づいて動作サブモードで使用される送信特性を設定することができる。
【００７７】
例えば、考えられるアルゴリズムはＵＥ毎に最後からｋ個のＣＱＩ値を収集及びモニターすることができ、ここでｋは「ＭＢＭＳ周期」／２以下の設定可能な閾値である。ＵＥ毎に、アルゴリズムはＵＥが受ける無線チャネル品質を最良に表すＣＱＩ値を検索する。（ＵＥ毎に）最良の代表的ＣＱＩを見出すために、アルゴリズムはｋ個の値のうちで発生率の高いＣＱＩ値を選択する。ＵＥ毎に最良の代表的ＣＱＩを選択するには更にｋよりも小さい第２の設定可能な閾値ｐを以下のように使用することができる。
１．ｋ個の値のうちで最高発生率のＣＱＩ値が最後からｐ個の値で少なくとも１回発生する場合には、これが該当特定ＵＥに選択されるＣＱＩである。
２．ｋ個の値のうちで最高発生率のＣＱＩ値が最後からｐ個の値で少なくとも１回発生しない場合には、ネットワークはｋ個のＴＴＩの観測窓で発生率が２番目に高く、最後からｐ個のＴＴＩで少なくとも１回発生するＣＱＩを選択する。
【００７８】
上記に従ってＭＢＭＳ送信に関与するＵＥ毎の最も代表的なＣＱＩ値を含むセットが一旦定義されると、別のアルゴリズムにより、ネットワークはＵＥ毎にセットで収集された値のうちで最良の代表的ＣＱＩ値を選択することができる。例えば、２種類の場合が考えられる。
１．無線アクセスネットワークはセットで最高発生率のＣＱＩを選択する；
２．無線アクセスネットワークはセットで最低発生率のＣＱＩを選択する。
【００７９】
使用されるＭＣＳを正しく初期化するように最初のＭＢＭＳ周期の前にフィルタメカニズムも起動することができる。
表１に戻ると、動作サブモード２ａはＨＤＳＰＡ規格と多少類似する確認応答モードの送信を起動する可能性を示す。このＨＳＤＰＡ  ＭＢＭＳ動作サブモードにおける再送はチェイス合成法を使用することができる。他方、ＩＲはＭＢＭＳでは到達しにくいそのフィードバックに基づく所定ＵＥへのデータ送信の適応を必要とするメカニズムである点が留意される。
【００８０】
より具体的には、再送式ＨＳＤＰＡ  ＭＢＭＳ確認応答モードは所定条件下で２ａ  ＨＳＤＰＡ  ＭＢＭＳサブモードに転換する１ａ  ＨＳＤＰＡ  ＭＢＭＳサブモードの使用を提供することができる。好ましい態様によると、ＵＴＲＡＮとＵＥは１ａ否定応答動作モードで動作を開始する。この場合には、各ＭＢＭＳ周期に適用される変調符号化は上記アルゴリズムに従ってＣＱＩフィールドに基づいて決定される。この場合には、ＭＢＭＳ周期で使用されるＭＣが例えば前のＭＢＭＳ周期中に全ＵＥにより送信された最悪ＣＱＩにより誘導される時間であるならば、再送は起動されない。他方、上記条件が確認されない場合には、再送を起動することができ、再送を起動するためには、Ｈ−ＡＲＱビットの最初のビットを１に設定する。間もなく確認応答動作サブモードに転換することをＵＥに通知するために、ＵＴＲＡＮは２ａ動作サブモードに転換する前に予め１ａ’  動作サブモードに転換することができる。適用される再送プロトコル構成と相関して、ｎ個の同時Ｈ−ＡＲＱプロセスをセットアップすることができる。この動作モードでは、同一ブロックを少なくともｎ回（例えば３回）再送し、ＵＥは再送の起動前に１ａ（又は１ａ’）動作サブモードで使用されるＭＢＭＳ周期を維持し続ける。次のＭＢＭＳ周期で、ＣＱＩフィードバックに基づくＵＴＲＡＮ決定に応じて確認応答モードを否定応答１ａモードに転換するか又は確認応答２ａモードで持続することができる。
【００８１】
上記本発明は多数の利点を達成することができる。
ＵＥがＨＳ−ＳＣＣＨ制御チャネルのモニターを停止することができる時間間隔（ＭＢＭＳ周期）をＵＥに知らせることにより、特に情報コンテンツをＵＥに長時間送信する場合に、ＵＥのバッテリにかかる衝撃の実質的な低減を達成することができる。この結果はｐ−ｔ−ｍ、特にＭＢＭＳ送信のみならず、原則としてｐ−ｔ−ｐ送信にも適用できる点が留意される。他方、ネットワークオペレータにより検討中のサービスであるｐ−ｔ−ｍ、特にＭＢＭＳ（例えば移動ＴＶサービス）で長時間送信確率を高くできる点も留意される。
【００８２】
上記のように、ＭＢＭＳ周期の挿入は現在の標準機能を殆ど変えずにＨＳＤＰＡで実施することができる。このため、迅速な実施が可能になり、（例えば上記のようにＭＢＭＳ周期を挿入するためにＨ−ＡＲＱフィールドを使用する場合には）場合により別の意味を使用するが、既存技術の再使用も可能になる。
【００８３】
同一物理的リソースで異なるＭＢＭＳチャネルの時分割多重化を実施することもできる。実際に、図４に模式的に示すように、ＭＢＭＳ周期後に、ＵＴＲＡＮは次のＭＢＭＳ周期を別のＭＢＭＳチャネルに割り当てるように決定することができる。これは実際にはＨＳ−ＳＣＣＨ  ＭＢＭＳ  ＩＤフィールドのＭＢＭＳ識別子を変更することにより実施することができる。この動作モードは上記動作サブモードの任意のものに適用することができる。
【００８４】
以上、特にＨＳＤＰＡに関して本発明を開示したが、本発明の教示は特に適応変調符号化（Ａｄａｐｔｉｖｅ  Ｍｏｄｕｌａｔｉｏｎ  ａｎｄ  Ｃｏｄｉｎｇ：ＡＭＣ）、高速ハイブリッド自動再送要求（Ｆａｓｔ  Ｈｙｂｒｉｄ  Ａｕｔｏｍａｔｉｃ  Ｒｅｐｅａｔ  Ｒｅｑｕｅｓｔ：Ｈ−ＡＲＱ）、高速スケジューリング及び短時間送信をＨＳＤＰＡとして利用する共用チャネルを使用する移動体通信システムにも適用できる点が留意される。特に、ＵＴＲＡ  ＬＴＥ（Ｌｏｎｇ  Ｔｅｒｍ  Ｅｖｏｌｕｔｉｏｎ：長期進化型）又は４Ｇシステムは規格がまだ定義されていないが、このようなシステムを維持すべきであるという要求を考慮すると、このようなシステムで上記技術的特徴を使用すべきであるので、本発明の開示はこれらのシステムにも適用できると考えられる。
【図１】
0005461625.tif 000003
【図２】
0005461625.tif 000004
【図３ａ】
0005461625.tif 000005
【図３ｂ】
0005461625.tif 000006
【図３ｃ】
0005461625.tif 000007
【図４】
0005461625.tif 000008